(57)【要約】【課題】葉書用紙として用いるときは投函後の見栄えが通常の場合と全く変らないような形で用紙情報を有する記録用紙、及びそのような用紙情報を有する記録用紙の用紙情報に応じた記録を行なう記録装置を提供する。【解決手段】葉書用紙７、８、葉書サイズシール紙９には印刷面の裏面（葉書では表）の葉書の切手を貼る四角い枠で示す領域６（又はその領域６に対応する領域６´、以下同様）に、プリンタ側の読取装置で自動認識させるための用紙情報として縦に帯状のマークが印刷されている。葉書サイズ用紙であることを領域６の中央の帯状マークで表し、標準紙であることを領域６の右側だけの帯状マークで表し、高画質紙であることを領域６の左側だけの帯状マークで表し、シール紙であることを領域６の両側の帯状マークで表している。プリンタ側には領域６に対応する位置に帯状マーク読み取りセンサが設けられる。【選択図】      図２
2005028809.tif 000002
【特許請求の範囲】
【請求項１】
記録用紙に付加された情報を読み取り該情報に応じて対応する記録制御を行う記録装置に用いられる記録用紙であって、
前記情報は記録用紙が利用される際に隠れて見えなくなる領域に対応する領域に印刷されていることを特徴とする記録用紙。
【請求項２】
前記記録用紙は、ハガキ用紙であり、隠れて見えなくなる領域は、切手を貼付する領域であることを特徴とする請求項１記載の記録用紙。
【請求項３】
前記情報は、前記記録用紙の種類を区別する情報であることを特徴とする請求項１又は２記載の記録用紙。
【請求項４】
前記情報は、前記記録用紙の残量を示す情報であることを特徴とする請求項１、２又は３記載の記録用紙。
【請求項５】
記録用紙に付加された情報を読み取り、前記記録用紙にインクリボンのインクを転写して前記情報に対応した記録を行う記録装置であって、
前記記録用紙の該記録用紙が利用される際に隠れて見えなくなる領域に対応する領域に印刷されている情報を用紙情報として認識する用紙情報認識手段と、
前記インクリボンにインク以外に附加されている情報をリボン情報として認識するリボン情報認識手段と、
前記用紙情報認識手段により認識された用紙情報と前記リボン情報認識手段により認識されたリボン情報とにより前記記録用紙と前記インクリボンとの整合性の可否を識別する整合性識別手段と、
該整合性識別手段による識別において整合性が可であるとき記録を実行し整合性が否であるとき記録を実行しない記録実行制御手段と、
を備えたことを特徴とする記録装置。
【請求項６】
前記記録実行制御手段は、前記整合性識別手段による識別において整合性が否であるとき整合性が否であることを警告報知し、外部からの入力指示を待って記録を実行するか否かを決定することを特徴とする請求項５記載の記録装置。
【請求項７】
前記記録用紙は、ハガキ用紙であり、隠れて見えなくなる領域は、切手を貼付する領域であることを特徴とする請求項５又は６記載の記録装置。
【請求項８】
前記用紙情報は、前記記録用紙の種類を区別する情報であることを特徴とする請求項５、６又は７記載の記録装置。
【請求項９】
前記用紙情報は、前記記録用紙の残量を示す情報であることを特徴とする請求項５、６、７又は８記載の記録装置。
【発明の詳細な説明】
【技術分野】
【０００１】
記録用紙に付加された情報を読み取って該情報に応じて対応する記録制御を行う記録装置に用いられる記録用紙、及び記録用紙に付加された情報を読み取って該記録用紙にインクリボンのインクを転写して上記の情報に対応した記録を行う記録装置に関する。
【背景技術】
【０００２】
従来、ディジタルカメラ用のプリンタの開発が盛んに行われているが、近年、ディジタルカメラの性能の向上に伴い、これらディジタルカメラの高解像度化と高階調度化に対応して、プリンタの高画質化が急速に進み、ディジタルカメラを用いる人々の行動の迅速性に対応して、プリンタの高速印刷化も急速に進んできている。
【０００３】
さらに、そのようなプリンタで印刷が可能な用紙のサイズも、葉書サイズ、Ｌサイズ、２Ｌサイズなど種類が増えている。また、用紙の機能においても、標準紙、高画質紙、シール紙、１６分割シール紙など様々なものが出てきている。
ところで、用紙の種類の多様化は、プリンタの使用者にとっては、用紙をプリンタに装着するとき、適合性の判断に混乱をきたすという問題を有している。そして、この対策として、プリンタの使用者が区別しやすいように、予め用紙の印刷面の裏面の隅、あるいは表側の非印刷領域となる余白部などに、目立ちにくい色や目立ちにくい大きさの文字で用紙のサイズや機能などの用紙情報を印刷しておくという方法が知られている。（例えば、特許文献１又は特許文献２参照。）
図９(a),(b) は、上記のような用紙情報を予め印刷した葉書１又は２の例を示す図である。同図(a),(b) は、挨拶文や写真などを印刷する葉書１又は２の印刷面の裏面（葉書の表）の右下隅の宛名書きの非印字領域となる余白部３に葉書の用紙情報が小さく印刷されている。
【０００４】
同図(a) の例では、余白部３には「葉書サイズ専用、標準紙」とあり、この印刷用紙が葉書として用いるために葉書サイズで印刷する専用の用紙であることと、紙質が標準の紙質であることを示している。
また、同図(b) の例では、余白部３には「葉書サイズ専用、高画質紙」とあり、この印刷用紙が上記と同じく葉書として用いるために葉書サイズで印刷する専用の用紙であることと、この場合は、紙質が紙面に光沢が有り且つ平滑であって写真印刷のような高画質の印刷に好適な紙質の用紙であることを示している。
【０００５】
これによって、プリンタの使用者がこの葉書用の用紙をプリンタに装着するときに、この用紙が間違いなく葉書のサイズであり、これから印刷しようとしている印刷内容に適合する紙質であるかどうかを容易に知ることが出来、混乱を生じることなく印刷を行うことができるようになると考えられている。
【特許文献１】特開平０５−０２４２２４号公報（段落［００１２］〜［００１５］、図５、図６）
【特許文献２】特開平０５−３３０２４５号公報（段落［０００７］〜［００１０］、図１〜図５）
【発明の開示】
【発明が解決しようとする課題】
【０００６】
しかしながら、上記の印刷面の裏面の余白に用紙情報を印刷する方法は、シール紙のような場合は、その裏面が剥離紙であってプリンタで印刷したシールを使用するときは用紙情報が印刷されている剥離紙は捨ててしまうものであるからよいが、剥離紙などの無い上記の葉書用紙の場合は、印刷面の裏面とはいっても葉書としては表面であり、また、いかに目立たない色や目立たない大きさで隅の余白に印刷したものであっても、葉書の表である限り、見栄えが悪いという問題がある。
【０００７】
更に、用紙情報の視認性をよくするためには、文字の色を濃くしたり文字を大きくすることが望ましいが、それでは上記の見栄えの悪さがますます増大するから、容易に視認性をよくすることが出来ないという問題の残る方法であった。
本発明の課題は、上記従来の実情に鑑み、葉書用紙として用いるときは投函後の見栄えが通常の場合と全く変らないような形で用紙情報を有する記録用紙、及びそのような用紙情報を有する記録用紙の用紙情報に応じた記録を行なう記録装置を提供することである。
【課題を解決するための手段】
【０００８】
以下に、本発明に係わる記録用紙及び記録装置の構成を述べる。
先ず、請求項１記載の発明の記録用紙は、記録用紙に付加された情報を読み取り該情報に応じて対応する記録制御を行う記録装置に用いられる記録用紙であって、上記情報は記録用紙が利用される際に隠れて見えなくなる領域に対応する領域に印刷されているように構成される。
【０００９】
上記記録用紙は、例えば請求項２記載のように、ハガキ用紙であり且つ隠れて見えなくなる領域は切手を貼付する領域であるように構成される。
また、上記情報は、例えば請求項３記載のように、上記記録用紙の種類を区別する情報であっても良く、また、例えば請求項４記載のように、上記記録用紙の残量を示す情報であっても良い。
【００１０】
次に、請求項５記載の発明の記録装置は、記録用紙に付加された情報を読み取り、上記記録用紙にインクリボンのインクを転写して上記情報に対応した記録を行う記録装置であって、上記記録用紙の該記録用紙が利用される際に隠れて見えなくなる領域に対応する領域に印刷されている情報を用紙情報として認識する用紙情報認識手段と、上記インクリボンにインク以外に附加さされている情報をリボン情報として認識するリボン情報認識手段と、上記用紙情報認識手段により認識された用紙情報と上記リボン情報認識手段により認識されたリボン情報とにより上記記録用紙と上記インクリボンとの整合性の可否を識別する整合性識別手段と、該整合性識別手段による識別において整合性が可であるとき記録を実行し整合性が否であるとき記録を実行しない記録実行制御手段と、を備えて構成される。
【００１１】
上記記録実行制御手段は、例えば請求項６記載のように、上記整合性識別手段による識別において整合性が否であるとき整合性が否であることを警告報知し、外部からの入力指示を待って記録を実行するか否かを決定するように構成しても良い。
また、上記記録用紙は、例えば請求項７記載のように、ハガキ用紙であり且つ隠れて見えなくなる領域は切手を貼付する領域であるように構成される。
【００１２】
そして、上記用紙情報は、例えば請求項８記載のように、上記記録用紙の種類を区別する情報であってもよく、また、例えば請求項９記載のように、上記記録用紙の残量を示す情報であってもよい。
【発明の効果】
【００１３】
このように、本発明の記録用紙は、葉書の切手を貼る位置を示す四角い枠内に対応する領域に文字やマークで用紙情報を予め示しておくことにより、葉書として用いるときには投函後の見栄えが通常の場合と全く変らないので、従来では問題となっていた見栄えの悪さが解消され、更には切手で隠れる位置に表示するので用紙情報をより分かり易く表示することができるようになる。
【発明を実施するための最良の形態】
【００１４】
以下、本発明の実施の形態を図面を参照しながら説明する。
【実施例１】
【００１５】
図１(a),(b) は、投函後の見栄えが通常の場合と全く変らない形で用紙情報を有する葉書用紙の例を示す図である。同図(a),(b) に示すように、葉書用紙４又は５には、挨拶文や写真などを印刷する葉書の印刷面からは裏面となる葉書の表の切手を貼る四角い枠で示す領域６に、葉書用紙４又は５の用紙情報が、ほぼ領域６の全面にわたって印刷されている。
【００１６】
同図(a) の例では、葉書用紙４の切手を貼る四角い枠で示す領域６には「葉書サイズ専用、標準紙」とあり、この印刷用紙が葉書として用いるために葉書サイズで印刷する専用の用紙であることと、紙質が標準の紙質であることを示している。
また、同図(b) の例では、葉書用紙５の切手を貼る四角い枠で示す領域６には「葉書サイズ専用、高画質紙」とあり、この印刷用紙が上記と同じく葉書として用いるために葉書サイズで印刷する専用の用紙であることと、この場合は、紙質が紙面に光沢が有り且つ平滑であって写真印刷のような高画質の印刷に好適な紙質の用紙であることを示している。
【００１７】
このように、本発明の記録用紙は、葉書の切手を貼る位置を示す四角い枠内に対応する領域に、用紙のサイズや紙質示す種類などの用紙情報を文字で印刷しておくので、葉書が投函されるときには用紙情報は切手に隠れて見えなくなり、したがって、見栄えは通常の葉書とまったく変わるところがなく、従来では問題となっていた見栄えの悪さが解消され、葉書による快適な通信が可能となる。
【００１８】
また、切手を貼ると見えなくなるので情報の文字を濃い色や目立つ色で印刷でき、更に切手を貼る四角い枠内でさえあれば重要な情報を大きな文字で表示することができ（図１(a),(b) に示す例では、「標準紙」や「高画質紙」の文字をほかに比べて大きくしてある）、したがって、従来よりも用紙情報の視認性が良く、使用時における用紙サイズの確認や種類（紙質）の確認でユーザが混乱することも無くなって便利である。
【００１９】
尚、切手を貼る四角い枠内には、文字と限ることなく、一目で分かる表意絵柄やその他の表現方法を用いるようにすることもできる。
【実施例２】
【００２０】
また、目で確認することに限らず、切手を貼る四角い枠内に、印刷に使用するプリンタに用紙のサイズや種類を自動認識させる情報を印刷するようにしてもよい。
図２(a),(b),(c) は、印刷に使用するプリンタ側の読取装置に印刷用紙のサイズや種類を自動認識させるための用紙情報を印刷した用紙の例を示す図である。同図(a),(b),(c) に示すように、葉書用紙７、８、又は葉書サイズシール紙９には、印刷面の裏面（葉書では表）の葉書の切手を貼る四角い枠で示す領域６又はその領域６に対応する領域６´に、プリンタ側の読取装置に印刷用紙のサイズや種類を自動認識させるための用紙情報として縦に帯状のマークが印刷されている。
【００２１】
同図(a) の例では、葉書用紙７の切手を貼る四角い枠で示す領域６に右側と中央とで二本の帯状マークが印刷されている。中央の帯状マークはこの印刷用紙が葉書サイズの用紙であることを示しており、右側の帯状マークはこの印刷用紙の種類が標準紙であることを示している。
【００２２】
また、同図(b) の例では、葉書用紙８の切手を貼る四角い枠で示す領域６に左側と中央とで二本の帯状マークが印刷されている。中央の帯状マークは上記同様にこの印刷用紙が葉書サイズの用紙であることを示しており、左側の帯状マークはこの印刷用紙の種類が高画質紙であることを示している。
【００２３】
また、同図(c)  の例では、この葉書サイズシール紙９がそのまま葉書として郵送されることが殆どないため切手を貼る位置を示す四角い枠は無いが、葉書の切手を貼る四角い枠で示す領域に対応する領域６´には、葉書用紙７又は８の場合と同様に帯状マークが印刷されている。
【００２４】
この場合は、その領域６´には、右側、中央、左側とで三本の帯状マークが印刷されている。中央の帯状マークはこの印刷用紙が葉書サイズであることを示し、左右のマークはこの印刷用紙がシール紙であることを示している。
このように、四角い枠の有る無しに拘わり無く、プリンタ側の読取装置で読み取るためのマーク（以下、単にセンサマークという）を、切手を貼る四角い枠の位置に対応する領域に設けることで、センサマークを読み取るためのプリンタ側の読取装置を葉書用紙と葉書サイズシール紙とで共通に用いることができる。
【００２５】
尚、同図(a),(b),(c) に示すセンサマークの形状は、例として示したものであって、プリンタ側の読取装置で読み取って認識できる形状であれば、どのような形状のセンサマークであってもよく、また、用紙の種類の分類方法も上記の３通りと限るものでもない。
図３(a),(b),(c) は、プリンタ側の読取装置に自動認識させる用紙に種々のサイズがあることの例を示す図である。同図(a) は葉書サイズ用紙１１、同図(ｂ) はＬサイズ用紙１２、同図(c) は２Ｌサイズ用紙１３をそれぞれ示している。これらは、普通紙、高画質紙、シール紙のいずれであってもよい。
【００２６】
いずれにおいても、同図(a),(b),(c) に示すように、用紙情報としての裏面のセンサマークは、用紙の中央線ａを基準にして葉書サイズ用紙１１の切手を貼る位置に相当する位置６´に設けるようにする。これは、プリンタで印刷を行なう場合、いずれのサイズの用紙であっても用紙の中央位置がプリンタの印刷中央位置に重なるよう設定されて印刷されることに基づいている。
【００２７】
したがって、上記のようにセンサマークを用紙の中央線ａを基準にして葉書サイズ用紙１１の切手を貼る位置に相当する位置６´に設けるようにすれば、いずれのサイズの用紙を用いた場合でも、プリンタに対するセンサマークの位置は常にプリンタに対して同一の位置にあることになる。これにより、プリンタ側では、読取装置を同一位置に固定したまま、いずれのサイズの用紙のセンサマークでも容易に読み取って、その用紙情報を取得することができるようになる。
【００２８】
このように、本例では、葉書サイズの印刷用紙の切手を貼って隠れる領域に対応する領域にプリンタ側の読取装置で認識可能な用紙情報を印刷するので、プリンタ側で用紙情報を自動的に取得することができるようになり、これにより、ユーザが適合しない用紙をプリンタに装着して使用しようとしたような場合には、警告を報知して誤りを防止することができるようになる。
【００２９】
また、その用紙情報は、葉書として投函されるときは切手に隠れて見えなくなり、目に見える形では残らなくなるので見映えを損なうことがなく、シールとして使用されるときは剥離紙と共に捨て去られて後に残らず、高画質紙として使用されるときは鑑賞される画像印刷面の裏側であって目の邪魔にならず便利である。
【００３０】
尚、上記のセンサマークを設ける切手を貼る領域には、センサマークのみではなく実施例１の場合と同様に文字と混在させるようにしてもよい。センサマークは小さくても、読取装置がある程度の性能を持っていれば用紙情報として読み取ることは充分にできるものである。
【００３１】
また、本例のプリンタ側で用紙情報を自動的に取得する方法は、ディジタルカメラ用として多く採用されているサーマルプリンタ（熱転写型プリンタ）に適用すると極めて好適である。
サーマルプリンタは、消耗品として用紙とインクリボンをセットで使用し、サーマルプリンタには組み合わせが対応している用紙とインクリボンとを一組にして装着させなければならないが、現在、用紙の種類が増加するに伴いインクリボンの種類も増えている。
【００３２】
また、それらの種類があまりにも多くて、ユーザにとって用紙とインクリボンの正規の組み合わせがわかりにくく、これは誤装着による不良画像の印刷という不具合をしばしば発生させる要因となっている。
ところが、本発明をプリンタ側で用紙情報を自動的に取得する方法を適用すれば、通常のサーマルプリンタには、インクリボンの種類を自動的に識別する機能が備えられているので、このインクリボンの種類自動識別機能と、本例の用紙情報自動取得機能とを組み合わせて用いれば、用紙とインクリボンとの組み合わせの整合性の可否を判別することができ、組み合わせが不適であるときはユーザに警告を出せるので、誤装着による不良画像の印刷という不具合の発生を防止することができる。
【００３３】
図４は、上記のような複数種類（本例では３種類）のサイズの印刷用カット紙を自在に印刷するサーマルプリンタの主要部の内部構成を模式的に示す側面図である。同図に示すようにサーマルプリンタ１５は、プラテンローラ１６、熱印字ヘッド１７、インクリボン送出ボビン１８、インクリボン１９、インクリボン巻取ボビン２１、インクリボンセンサ２２、用紙センサ２３、搬入用紙ガイド２４、搬出用紙ガイド２５、及び搬出ローラ対２６を備えている。
【００３４】
熱印字ヘッド１７は、不図示の付勢部材により、発熱素子アレイからなる印字部１７−１をプラテンローラ１６の周面に向けて押圧されおり、この押圧部に上下から挟持されインク面を下に向けてインクリボン１９がインクリボン送出ボビン１８とインクリボン巻取ボビン２１間に張り渡されている。
【００３５】
インクリボン送出ボビン１８の近傍に、インクリボンセンサ２２がセンサ部をインクリボン１９のインク面に向けて配置される。また、用紙センサ２３は搬入用紙ガイド２４の用紙搬入路上流側の端部近傍に配置される。用紙搬入路上流側には用紙供給装置２７が着脱自在に配置され、この用紙供給装置２７には多枚数の印刷用カット紙２８（図２及び図３に示した葉書用紙７、８、葉書サイズシール紙９、葉書サイズ用紙１１、Ｌサイズ用紙１２又は２Ｌサイズ用紙１３）が載置収容されている。
【００３６】
印刷用カット紙２８は、不図示の給紙装置により用紙供給装置２７から一枚毎に取り出され、矢印ｂで示すように給送されて、用紙センサ２３の上を通過し、搬入用紙ガイド２４に案内され、熱印字ヘッド１７の印字部１７−１とプラテンローラ１６とが対向する押圧部に搬入され、インクリボン１９と共に押圧部に挟持されて搬送されながら、インクリボン１９のインクを画像信号に応じて印刷面に熱転写され、画像を形成されながら搬出用紙ガイド２５に案内され、搬出ローラ対２６によって搬出され、矢印ｃで示すように機外に排出される。
【００３７】
このとき、上記のように用紙供給装置２７から取り出された印刷用カット紙２８が用紙センサ２３の上を通過し、用紙センサ２３によって領域６又は６´の用紙情報が読み取られたとき、この用紙情報と既にインクリボンセンサ２２によって読み取られているインクリボン１９のリボン情報とが照合され、印刷用カット紙２８とインクリボン１９との適否がサーマルプリンタ１５の不図示の制御部によって判別される。
【００３８】
図５(a),(b),(c) は、上記構成のサーマルプリンタ１５によって使用される３種類のサイズの印刷用カット紙に対応する３種類のインクリボン１９の構成を示す図である。同図(a) は葉書サイズの印刷用カット紙を印刷するインクリボン１９−１を示し、同図(b) はＬサイズの印刷用カット紙を印刷するインクリボン１９−２を示し、同図(c) は２Ｌサイズの印刷用カット紙を印刷するインクリボン１９−３を示している。
【００３９】
同図(a),(b),(c) に示すように、インクリボン１９（１９−１、１９−２、１９−３）には、Ｙ（イエロー）のインク面の先端部に設けられる先頭色検出用マーク２９（２９−１、２９−２、２９−３）と、Ｙ（イエロー）、Ｍ（マゼンタ）、Ｃ（シアン）の各インク面とインク面の間に設けられるリボン種類検出用マーク３１（３１−１、３１−２、３１−３）から成るインクリボン識別用マークが付けられている。
【００４０】
これにより、サーマルプリンタ１５の制御部は、インクリボンセンサ２２により上記のインクリボン識別用マークを読み取って、装着されているインクリボン１９の種類がインクリボン１９−１、１９−２、又は１９−３であるかを識別すると共に、印刷を開始するインクリボン１９の先頭位置を検出している。
【００４１】
本例のサーマルプリンタ１５は、上記のような構成の印刷用カット紙２８及びインクリボン１９を用いて印刷を行うに際して、用紙供給装置２７に収容されて給紙されてくる印刷用カット紙２８のサイズと、インクリボン送出ボビン１８とインクリボン巻取ボビン２１間に張り渡されているインクリボン１９のサイズとが整合しているか否かを判別し、整合していないときにはユーザに警告を報知するようにしている。
【００４２】
これにより、ユーザの不注意によって印刷用カット紙２８やインクリボン１９がサーマルプリンタ１５へ誤装着されるような不具合などを防止することができるようになる。
図６(a),(b) は、本例のサーマルプリンタ１５の制御部によって行なわれる印刷用カット紙２８とインクリボン１９とのサイズ整合性の判別とユーザに警告を報知する処理のフローチャートである。
【００４３】
先ず、図６(a) において、サーマルプリンタ１５の制御部は、用紙センサ２３により、用紙供給装置２７に収容されて給紙されてくる印刷用カット紙２８のセンサマークを読み取り、用紙情報を取得する（Ｓ１）。
次に、サーマルプリンタ１５の制御部は、インクリボン送出ボビン１８とインクリボン巻取ボビン２１間に張り渡されているインクリボン１９のインクリボン識別用マークを読み取ってインクリボン１９の種類情報を取得する（Ｓ２）。
【００４４】
続いて、サーマルプリンタ１５の制御部は、上記取得した印刷用カット紙２８の用紙情報とインクリボン１９の種類情報とから、これら装着されている印刷用カット紙２８とインクリボン１９との組み合わせが整合しているか（正しいか）否かを判別する（Ｓ３）。
そして、２つの組み合わせが正しければ（Ｓ３がＹ）、ユーザからの印刷開始の指示を待機する（Ｓ４）。
【００４５】
他方、２つの組み合わせが正しくないときは（Ｓ３がＮ）、その場合は、不図示の液晶表示パネル等に、用紙とインクリボンの装着が間違っている旨の警告を表示報知して（Ｓ５）、最初の処理Ｓ１に戻って処理Ｓ１〜Ｓ３を繰り返す。そして、処理Ｓ３で、印刷用カット紙２８とインクリボン１９との組み合わせが正しいことが確認されてから、処理Ｓ４に移行する。
【００４６】
これにより、ユーザの不注意によって印刷用カット紙２８やインクリボン１９がサーマルプリンタ１５へ誤装着された場合に発生する不良画像の印刷などの不具合を未然に防止することができる。
ところで、例えば葉書サイズの用紙に急いで印刷したいが手元には２Ｌサイズ用のインクリボンしかないような場合、２Ｌサイズ用のインクリボンで葉書サイズの用紙への印刷は可能であるので、ユーザが印刷用カット紙２８とインクリボン１９との組み合わせが正しくないことを承知で印刷を行おうとする場合がある。
【００４７】
図６(b) は、そのような場合にも対処が可能な処理のフローチャートである。同図(b) において処理Ｓ１０１〜Ｓ１０４は、同図(a) の処理Ｓ１〜Ｓ４の処理と同一である。
本例の場合は、サーマルプリンタ１５の制御部は、処理Ｓ４において印刷用カット紙２８とインクリボン１９との組み合わせが正しくないときに行なう警告の表示報知において、単に警告のみではなく、例えば「このまま印刷を行いますか」などの問い合わせの表示報知も行なう（Ｓ１０５）。
【００４８】
そして、同図(a) のように直ちに処理Ｓ１０１へは戻らずに、先ず、ユーザが印刷用カット紙２８とインクリボン１９との組み合わせが正しくないことを承知で印刷を行おうとしているか否かを判別する（Ｓ１０６）。この処理では、サーマルプリンタ１５の不図示の入力操作パネルからのユーザによるキー入力を待って、そのキー入力イベントの結果から、判別する。
【００４９】
そして、ユーザが、上記の警告と問い合わせの表示報知に対して「ＯＫ」ボタン又は「Ｙ」キーを押したときは（Ｓ１０６がＹ）、ユーザは用紙とインクリボンの組み合わせが正しくないことを承知の上であると判断して、そのまま処理Ｓ１０４の処理に移行する。
他方、ユーザが、「ＮＯ」ボタン又は「Ｎ」キーを押したときは（Ｓ１０６がＮ）、ユーザは用紙とインクリボンの組み合わせが正しくないことを知らなかったのであり、上記の警告で初めて誤りに気づいたのであるから、この場合は、処理Ｓ１０１に戻って処理Ｓ１０１〜Ｓ１０３を繰り返す、というようにする。
【００５０】
これにより、ユーザが印刷用カット紙２８とインクリボン１９との組み合わせが正しくないことを承知で印刷を行う場合にも、組み合わせが正しくないことを知らなかった場合にも対処することができる。
【実施例３】
【００５１】
ところで、葉書用紙は上記のようにカット紙だけに限るものではない。ロール状に巻かれて連続紙状に形成された葉書用紙（葉書用ロール紙）もある。一般に、プリンタの用紙がロール紙であった場合、印刷枚数を計数していくことで、ロール紙の残り枚数を管理するようにしている。しかし、この方法は、ロール紙が新品の状態から連続して使われているということが前提であるため、他の方面で使用されていた使用途中のロール紙がプリンタに装着された場合、プリンタ側で管理していた枚数と実際に使用中のロール紙の枚数が異なって折角の管理が無駄になるという問題が発生する。
【００５２】
ところが、この場合も葉書の切手を貼る枠内にセンサマークを設けることで問題が解消する。
図７は、ロール状に巻かれて連続紙状に形成された葉書用ロール紙の例を示す図である。同図に示すように、葉書用ロール紙３２は、多枚数の各葉書３３（３３−１〜３３−４）が連続紙状に連なって形成されている。各葉書３３の境目にはミシン目が入れられており、印刷後の切り離しが容易なように形成されている。
【００５３】
葉書３３−１は、葉書用ロール紙３２の最初の所定枚数部分の葉書３３を示し、葉書３３−２は、それより中間部分の所定枚数部分の葉書３３を示し、葉書３３−３は、更に使用が進んだ部分の所定枚数部分の葉書３３を示し、そして、葉書３３−４は、葉書用ロール紙３２の終わり部分の所定枚数部分の葉書３３を示している。
【００５４】
各葉書３３の切手を貼る四角い枠の領域６には、長短の差のあるセンサマーク３４（３４−１〜３４〜４）が予め印刷されており、最初は短く、後になるほど順次長くなっている。このように葉書ロール紙３２の葉書３３の使用量に応じてセンサマーク３４の長さを変えていることにより、一般的なプリンタにおける用紙搬送機構はステッピングモータを使用しているので単位時間当たりの用紙の搬送量は一定であることから、センサマーク３４の長さを測定することにより、葉書ロール紙３２の葉書３３の使用量を検出することができる。
【００５５】
尚、センサマークで示す量を、使用量ではなく用紙残量とするようにしてもよい。また、センサマークを長さの長短ではなく、残り枚数を表すバーコードにしもよい。この場合は、用紙センサはバーコードリーダに置き換えられる。
図８は、上記のようにロール状に巻かれて連続紙状に形成された印刷用紙に印刷を行うサーマルプリンタの主要部の内部構成を模式的に示す側面図である。同図に示すようにサーマルプリンタ３５は、プラテンローラ３６、熱印字ヘッド３７、インクリボン送出ボビン３８、インクリボン３９、インクリボン巻取ボビン４１、インクリボンセンサ４２、用紙センサ４３、及び搬出ローラ対４４を備えている。
【００５６】
上記の構成は,図４に示したサーマルプリンタ１５の構成とほぼ同様である。図４のサーマルプリンタ１５の場合と異なるのは、図４では用紙搬入路上流側に配置されていた用紙供給装置２７に代わって、この図８ではロール紙４５（図７の葉書用ロール紙３２参照）が配置され、各用紙４６（図７の葉書３３参照）がロール紙４５から繰り出された用紙４６毎に、熱印字ヘッド３７とプラテンローラ３６とが対向する押圧・印字部に搬入され、インクリボン３９によりインクを画像信号に応じて印刷面に熱転写され、画像を形成されて機外に排出され、用紙４６毎にミシン目に沿って切り離される。
【００５７】
尚、上記の例では、利用される際に隠れて見えなくなる領域を有する記録用紙の例としてハガキを挙げて説明しているが、これに限ることなく、後で印紙等が貼られる証書等の記録用紙であっても良い。
【産業上の利用可能性】
【００５８】
以上説明したように、本発明の記録用紙は、葉書用紙として用いるときは投函後の見栄えが通常の場合と全く変らないような形で用紙情報を有することができるので、用紙情報に応じた印刷を行い且つ投函後の葉書の見栄えを重んずる全ての産業において利用することが可能である。
【図面の簡単な説明】
【００５９】
【図１】(a),(b) は実施例１における投函後の見栄えが通常の場合と全く変らない形で用紙情報を有する葉書用紙の例を示す図である。
【図２】(a),(b),(c) は実施例２における印刷に使用するプリンタ側の読取装置に印刷用紙のサイズや種類を自動認識させるための用紙情報を印刷した用紙の例を示す図である。
【図３】(a),(b),(c) は実施例２におけるプリンタ側の読取装置に自動認識させる用紙に種々のサイズがあることの例を示す図である。
【図４】実施例２における３種類のサイズの印刷用カット紙を自在に印刷するサーマルプリンタの主要部の内部構成を模式的に示す側面図である。
【図５】実施例２におけるプリンタによって使用される３種類のサイズの印刷用カット紙に対応する３種類のインクリボンの構成を示す図である。
【図６】(a),(b) は実施例２におけるプリンタの制御部によって行なわれる印刷用カット紙とインクリボンとのサイズ整合性の判別とユーザに警告を報知する処理のフローチャートである。
【図７】実施例３におけるロール状に巻かれて連続紙状に形成された葉書用ロール紙の例を示す図である。
【図８】実施例３におけるロール状に巻かれて連続紙状に形成された印刷用紙に印刷を行うサーマルプリンタの主要部の内部構成を模式的に示す側面図である。
【図９】(a),(b) は従来の葉書の表右下隅の宛名書きの非印字領域となる部分に葉書の用紙情報が小さく印刷されている例を示す図である。
【符号の説明】
【００６０】
１、２  従来の葉書用紙
３      右下隅余白部
４、５  発明の葉書用紙
６、６´  切手を貼る位置に対応する領域
７、８  発明の葉書用紙
９      発明の葉書サイズシール紙
１１    葉書サイズ用紙
１２    Ｌサイズ用紙
１３    ２Ｌサイズ用紙
ａ      用紙中央線
１５    サーマルプリンタ
１６    プラテンローラ
１７    熱印字ヘッド
１８    インクリボン送出ボビン
１９（１９−１、１９−２、１９−３）  インクリボン
２１    インクリボン巻取ボビン
２２    インクリボンセンサ
２３    用紙センサ
２４    搬入用紙ガイド
２５    搬出用紙ガイド
２６    搬出ローラ対
２７    用紙供給装置
２８    印刷用カット紙
２９（２９−１、２９−２、２９−３）  先頭色検出用マーク
３１（３１−１、３１−２、３１−３）  リボン種類検出用マーク
３２    葉書用ロール紙
３３（３３−１〜３３−４）  葉書
３４（３４−１〜３４〜４）  センサマーク
３５    プリンタ
３６    プラテンローラ
３７    熱印字ヘッド
３８    インクリボン送出ボビン
３９    インクリボン
４１    インクリボン巻取ボビン
４２    インクリボンセンサ
４３    用紙センサ
４４    搬出ローラ対
４５    ロール紙
４６    用紙
【図１】
2005028809.tif 000003
【図２】
2005028809.tif 000004
【図３】
2005028809.tif 000005
【図４】
2005028809.tif 000006
【図５】
2005028809.tif 000007
【図６】
2005028809.tif 000008
【図７】
2005028809.tif 000009
【図８】
2005028809.tif 000010
【図９】
2005028809.tif 000011